【事件の表示】
　平成　３年特許願第２３２２０９号「情報再生装置および情報再生方法」拒絶査定に対する審判事件〔平成　５年　３月　５日出願公開、特開平　５−　５４５５０、請求項の数（２）〕について、次のとおり審決する。
【結　論】
　原査定を取り消す。
　本願の発明は、特許すべきものとする。
【理　由】
　
１．手続の経緯・本願発明
　本願は、平成３年８月20日の出願であって、その請求項１乃至２に係る発明は、平成13年10月19日付け、平成14年６月５日付け、及び、平成14年９月24日付けの手続補正書によって補正された明細書の特許請求の範囲の請求項１乃至２に記載された次のとおりのものである。
　
「【請求項１】　ブロック毎に、再生すべき画像及び音声データが格納されているアドレス情報が積層構造で記録されているとともに、そのブロックの情報を連続的に再生するかまたは選択的に再生するかを指定する連続再生情報が記録されている情報記録媒体を再生する情報再生装置において、
　前記情報記録媒体より再生された前記ブロック毎の前記連続再生情報を判別する判別手段と、
　前記判別手段の判別結果に対応して、第１のブロックの前記連続再生情報が連続的な再生を指定する場合、当該第１のブロックの前記積層構造の第１の層のアドレス情報で指示されている前記画像データを出力させた後、第２の層のアドレス情報で指示されている前記音声データを出力させ、さらに、第３の層のアドレス情報で指示されている第２のブロックの前記積層構造の第１の層のアドレス情報で指示されている前記画像データを出力させて各情報を連続的に再生し、前記第１のブロックの前記連続再生情報が選択的な再生を指定する場合、入力キーボードにより所定の情報が選択されるまで待機し、選択されると当該第１のブロックの前記積層構造のアドレス情報で指示されている前記情報を選択的に再生する再生手段
　とを備えることを特徴とする情報再生装置。
【請求項２】　ブロック毎に、再生すべき画像及び音声データが格納されているアドレス情報が積層構造で記録されているとともに、そのブロックの情報を連続的に再生するかまたは選択的に再生するかを指定する連続再生情報が記録されている情報記録媒体を再生する情報再生装置の情報再生方法において、
　前記情報記録媒体より再生された前記ブロック毎の前記連続再生情報を判別する判別ステップと、
　前記判別ステップの判別結果に対応して、第１のブロックの前記連続再生情報が連続的な再生を指定する場合、当該第１のブロックの前記積層構造の第１の層のアドレス情報で指示されている前記画像データを出力させた後、第２の層のアドレス情報で指示されている前記音声データを出力させ、さらに、第３の層のアドレス情報で指示されている第２のブロックの前記積層構造の第１の層のアドレス情報で指示されている前記画像データを出力させて各情報を連続的に再生し、前記第１のブロックの前記連続再生情報が選択的な再生を指定する場合、入力キーボードにより所定の情報が選択されるまで待機し、選択されると当該第１のブロックの前記積層構造のアドレス情報で指示されている前記情報を選択的に再生する再生ステップ
　とを含むことを特徴とする情報再生方法。」
　
２．原査定の理由の概要等
　原査定の拒絶の理由の概要は、本願の請求項１、２に係る発明は、次の引用例に記載された発明に基づいて当業者が容易に発明をすることができたものであるから、特許法第29条第２項の規定により特許を受けることができない、というものである。
  　引用例　：特開昭63-279468号公報
そして、周知例として次のものが挙げられている。
　　周知例１：特開平 1-256062号公報
  　周知例２：特開平 2- 22978号公報
　　周知例３：特開平 2-177073号公報
　また、前置審査における拒絶の理由の概要は、本願の請求項１、２に係る発明は、次の引用例に記載された発明に基づいて当業者が容易に発明をすることができたものであるから、特許法第29条第２項の規定により特許を受けることができない、というものである。
    引用例１：特公平 3- 42752号公報
    引用例２：特開昭63-279468号公報（拒絶査定の引用例と同じ。）
  さらに、前置報告書において次の引用例が追加されている。
    引用例３：特開昭61-233486号公報
　
３．引用例に記載された事項
　上記引用例には、次の事項が記載乃至開示されている。
　
 引用例１（特公平 3- 42752号公報）
  静止画像とそれに関連した情報とを記録再生する磁気ディスク記録再生装置に関し、
　使用者が、キーボード等の入力部11から自動再生等のプログラムを入力すると、入力された情報信号が磁気ディスクＡの情報信号記録再生用トラックに記録され、使用者が情報信号記録再生用トラックに記録されている情報の内容を実行させる場合は、入力部11を操作して指令を与え、
　マイクロコンピュータ10は読み出し用RAM18に記録されている記録情報を読み出し（ステップ31）、次いで読み出された上記記録情報に自動再生のプログラムが含まれているか否かを判断し（ステップ32）、含まれている場合には自動再生プログラムに従って自動再生を実行し、含まれていない場合には自動再生を行わないこと。
　
 引用例２（特開昭63-279468号公報）
  光ディスクに静止画像と音響信号をディジタル信号として記録し、これを再生する画像ファイル装置に関し、
　画像ファイル装置の記録部において、操作卓45からの操作によりシナリオ信号を作成し、画像ブロックおよび音声ブロックともにシナリオブロックを光ディスク１に記録し、画像ファイル装置の再生部において、光ディスク１から読み出したシナリオ信号に基づいて光ディスク１から画像および音声を再生すること。
　
 引用例３（特開昭61-233486号公報）
  磁気ディスク等の記録媒体に記録されている情報を再生するための再生装置に関し、
　自動再生中に中止スイッチ17Sを操作し自動再生の進行を止め、入力装置19からの命令を選択するようにし、入力装置19を通じて任意の命令を付与し任意の再生動作を行わせること。
　
 周知例１（特開平 1-256062号公報）
  ビデオディスク等の記録媒体にディジタルオーディオ信号等のコード化情報信号のサブコードとして記録された画像情報から画像信号を形成する画像情報再生処理装置に関し、
　操作部60のキー操作によって画像チャンネルの指定がなされた場合、指定された画像チャンネルに応じた切換制御データｄがセレクタ57に供給され、ビデオメモリ56a〜56pのうちの指定された画像チャンネルに対応する１つから読み出されたデータが選択的に出力されること。
　
 周知例２（特開平 2- 22978号公報）
　スチルビデオシステムに関し、
　再生回路９が、まずヘッド７を第１のトラックに移動し、奇数フィールドの映像信号を取出して再生し、次にヘッド７を第２のトラックに移動し、偶数フィールドの映像信号を取出して再生すること、即ち、操作者の指示により、ビデオフロッピ８に記録されている映像信号を任意のトラックより選択可能に再生すること。
　
 周知例３（特開平 2-177073号公報）
  音声信号と映像信号とが記録されている磁気ディスクから再生を行う再生装置に関し、
　音声信号と映像信号とが混在して記憶されている磁気ディスクDから音声信号および映像信号を再生する場合、システムコントローラ120は磁気ディスクDの全トラックをアクセスし、各トラックに記憶されている信号の種類を判別し、画像メモリ102および音声メモリ106に記録させておき、あるトラックを再生する指示をスイッチ群123より受けた際、信号の種類に応じて、トラックを再生することにより、任意のトラックを選択可能に再生すること。
　
４．対比・判断
　本願の請求項１、２に係る発明と引用例１に記載されたものとを対比すると、引用例１に記載されたものは、記録媒体に記録された情報を判別して自動再生を行う点では共通するとはいえるものの、引用例１には、請求項１、２に係る発明における、「ブロックの情報を連続的に再生するかまたは選択的に再生するかを指定する（再生されたブロック毎の）連続再生情報を判別する」という構成、及び「判別結果に対応して、第１のブロックの前記連続再生情報が連続的な再生を指定する場合、・・・第３の層のアドレス情報で指示されている第２のブロックの前記積層構造の第１の層のアドレス情報で指示されている前記画像データを出力させて各情報を連続的に再生し、第１のブロックの前記連続再生情報が選択的な再生を指定する場合、・・・情報を選択的に再生する」という構成について何ら示されていない。
  請求項１、２に係る発明と引用例２に記載されたものとを対比すると、引用例２に記載されたものは、シナリオブロックに画像信号や音響信号のブロックのアドレス値を記憶するものであるが、アドレス値を含むシナリオ信号は、操作者からの操作によって作成されるものであり、次に再生されるべきシナリオブロックのアドレス値を記憶することは示されていない。引用例１に記載されたものに引用例２に記載されたものを適用しても、請求項１、２に係る発明における、「ブロックの情報を連続的に再生するかまたは選択的に再生するかを指定する（再生されたブロック毎の）連続再生情報を判別する」という構成、及び「判別結果に対応して、第１のブロックの前記連続再生情報が連続的な再生を指定する場合、・・・第３の層のアドレス情報で指示されている第２のブロックの前記積層構造の第１の層のアドレス情報で指示されている前記画像データを出力させて各情報を連続的に再生し、第１のブロックの前記連続再生情報が選択的な再生を指定する場合、・・・情報を選択的に再生する」という構成を導出することはできない。
  引用例３に記載されたものは、単に自動再生中にキーボード等の手動入力手段により切り換え（選択的に）再生するものであり、請求項１、２に係る発明における「ブロックの情報を連続的に再生するかまたは選択的に再生するかを指定する（再生されたブロック毎の）連続再生情報を判別する」という構成、及び「判別結果に対応して、第１のブロックの前記連続再生情報が連続的な再生を指定する場合、・・・第３の層のアドレス情報で指示されている第２のブロックの前記積層構造の第１の層のアドレス情報で指示されている前記画像データを出力させて各情報を連続的に再生し、第１のブロックの前記連続再生情報が選択的な再生を指定する場合、・・・情報を選択的に再生する」という構成について何ら示されていない。
  周知例１〜３に記載されたものは、操作者の指示により再生対象とする情報を選択可能に構成するものであるが、これら周知例１乃至３の何れにも、請求項１、２に係る発明における「ブロックの情報を連続的に再生するかまたは選択的に再生するかを指定する（再生されたブロック毎の）連続再生情報を判別する」という構成、及び「判別結果に対応して、第１のブロックの前記連続再生情報が連続的な再生を指定する場合、・・・第３の層のアドレス情報で指示されている第２のブロックの前記積層構造の第１の層のアドレス情報で指示されている前記画像データを出力させて各情報を連続的に再生し、第１のブロックの前記連続再生情報が選択的な再生を指定する場合、・・・情報を選択的に再生する」という構成について何ら示されていない。
　　
　引用例１〜３、周知例１〜３に記載されたものを組み合わせても、請求項１、２に係る発明における「ブロックの情報を連続的に再生するかまたは選択的に再生するかを指定する（再生されたブロック毎の）連続再生情報を判別する」という構成、及び「判別結果に対応して、第１のブロックの前記連続再生情報が連続的な再生を指定する場合、・・・第３の層のアドレス情報で指示されている第２のブロックの前記積層構造の第１の層のアドレス情報で指示されている前記画像データを出力させて各情報を連続的に再生し、第１のブロックの前記連続再生情報が選択的な再生を指定する場合、・・・情報を選択的に再生する」という構成は導出することはできない。
　また、請求項１、２における上記構成を周知技術もしくは当業者の技術常識であるとする根拠も見当たらない。
　
  請求項１、２に係る発明は、上記構成を含む構成により明細書記載の作用効果を奏するものである。
　
  したがって、本願の請求項１、２に係る発明は、上記引用例１〜３、周知例１〜３に記載されたものに基づいて当業者が容易に発明をすることができたものとすることはできない。
　
５．むすび
　以上のとおりであって、本願は、原査定の理由及び前置審査の拒絶の理由によって拒絶すべきものとすることはできない。
　また、他に本願を拒絶すべき理由を発見しない。
　よって、結論のとおり審決する。